(57)【要約】【課題】  脚部、臀部、あるいは腰部に疲れや痛みを与えることがなく、長時間に亘りリラックスして座ることができるように改良したオットマン付リクライニングチェアを提供する。【解決手段】  座部の下方に収納され前方に手動で引き出し可能に設けられたオットマンのクッション部材を、前方側が側面視でカマボコ形状に後方側が平坦に形成し、当該オットマンが前記座部の下方に収納されたとき、前記カマボコ形状部が前記座部フレームのクッション装着面と略一致する高さを有し、かつ、前記座部フレームの前方側に位置するように構成する。【選択図】  図１
2014046160.tif 000002
【特許請求の範囲】
【請求項１】
傾倒角度が調整可能に設けられたバックレストフレームにクッション部材を装着してなるバックレストと、前記バックレストフレームの下方部から前方に延設された座部フレームにクッション部材を装着してなる座部と、前方脚部フレームと後方脚部フレームの上端部を枢支してなる脚部と、前記バックレストフレームから前方に延設され前記脚部の上端部を支持するアームレストフレームにクッション部材を設けてなるアームレストと、前記座部の下方に設けられ、収納・引き出しが手動で可能とされたオットマンを具備してなるオットマン付リクライニングチェアにおいて、前記オットマンは、内部にクッション用のバネ部材を有するオットマンフレームの該バネ部材上に、前方側が側面視でカマボコ形状に後方側が平坦に形成されたクッション部材を装着してなっていることを特徴とするオットマン付リクライニングチェア。
【請求項２】
前記クッション部材のカマボコ形状部は、当該オットマンが前記座部の下方に収納されたとき、前記座部フレームの座部クッション装着面と略一致する高さを有し、かつ、前記座部フレームの前方側に位置するように構成されていることを特徴とする、請求項１に記載のオットマン付リクライニングチェア。
【請求項３】
前記オットマンフレームは、金属製のパイプにより前方が閉鎖され後方が開放された平面視でコの字状に形成され、該オットマンフレームの左右フレーム間には前記バネ部材が張設され、かつ、前記左右フレームがガイド部材により支持・案内されて前後方向に移動可能に設けられていることを特徴とする、請求項１又は２に記載のオットマン付リクライニングチェア。
【請求項４】
前記クッション部材のカマボコ形状部は、側面視でカマボコ形状に成形されたポリウレタンを可撓性シートで被覆してなっていることを特徴とする、請求項１ないし３のいずれかに記載のオットマン付リクライニングチェア。
【請求項５】
前記座部フレームは、前方側が前記前方脚部フレームに枢支され、後方側の一端が前記後方脚部フレームに連結された連結レバーの他端に枢支されており、前記バックレストフレームと前記座部フレームとを合わせることにより当該チェア本体が平坦に折り畳まれることを特徴とする、請求項１ないし４のいずれかに記載のオットマン付リクライニングチェア。
【請求項６】
前記バックレストフレームの傾倒角度の調整は、前記アームレストフレームの前端部を持ち上げ、前記脚部の上端部位置を前後方向に変更することにより行われることを特徴とする、請求項１ないし５のいずれかに記載のオットマン付リクライニングチェア。
【発明の詳細な説明】
【技術分野】
【０００１】
本発明は、オットマン付リクライニングチェアに関し、さらに詳細には、疲れや痛みを感じることなく、長時間に亘りリラックスして座ることができるように改良されたオットマン付リクライニングチェアに関する。
【背景技術】
【０００２】
従来、リクライニングチェアとして、座部の後方に配置されて、通常位置とこの通常位置よりも後方側に倒れた傾倒位置とに移動可能なバックレスト(背もたれ部)と、座部の下方側に配置されて、後退位置と前進位置とに移動可能なオットマン(足載せ台)とを備えてなるオットマン付リクライニングチェアが一般に知られている。
【０００３】
このようなオットマン付リクライニングチェアの一つに、例えば特許文献１に開示されているような、バックレストとオットマンとが常に連動しているタイプのものが公知である。
【０００４】
すなわち、このオットマン付リクライニングチェアは、バックレストをアクチュエータなどの駆動機構を介して傾倒させると、オットマンも連動しリンク機構等を介して前進位置に前進し、バックレストを元の通常位置まで戻すと、それに連動してオットマンも元の後退位置に戻るというものである。
【０００５】
しかしながら、このようなタイプのオットマン付リクライニングチェアでは、バックレストだけを傾倒させたい場合であっても、オットマンが前方に出てしまうという不都合があり、また、オットマンを連動させる機構が必要となるため製造コストが高くなるという欠点があった。
【０００６】
これに対し、バックレストとオットマンとが連動せず、それぞれ別個に移動させるようにしたタイプのオットマン付リクライニングチェアが、例えば特許文献２で公知である。
【０００７】
このオットマン付リクライニングチェアは、本出願人の出願に係るもので、アームレスト（肘かけ部）の操作によりバックレストを傾倒・起立させるようにしたリクライニングチェアの座部の下方に、オットマンを手動で前方に引き出し、また、後方の元の位置に戻して収納可能としたものである。
【０００８】
このオットマン付リクライニングチェアによれば、オットマンをバックレストの傾倒角度とは無関係に所望の位置に配置でき、また、構造をシンプルにできるので、上述した各欠点を解消することができる。
【０００９】
しかしながら、上述した従来のいずれのオットマン付リクライニングチェアにおいても、オットマンの足載せ面が平面的な構造をなし、また、この面のクッションも決して十分とはいえないものであったため、バックレストを傾倒させ、脚部を伸ばしてオットマンに足を載せて横たわっていると、脚部とくにかかと部と脹脛部に負担がかかり、時間が立つにつれてこの部分が疲れたり痛くなったりするという問題があった。
【００１０】
また、オットマンを座部の下方に収納した状態で座っていると、臀部や腰部に負担がかかるため、この部分が疲れたり痛くなったりするという問題があった。
【先行技術文献】
【特許文献】
【００１１】
【特許文献１】特開平１１−３４２０３４号公報
【特許文献２】特許第４１８３６７９号公報
【発明の概要】
【発明が解決しようとする課題】
【００１２】
本発明は、従来のオットマン付リクライニングチェアが有する上記問題点を解消し、脚部、臀部、腰部等に疲れや痛みを与えることがなく、長時間に亘りリラックスして座ることができるように改良したオットマン付リクライニングチェアを提供すること目的とする。
【課題を解決するための手段】
【００１３】
本発明の上記目的は、傾倒角度が調整可能に設けられたバックレストフレームにクッション部材を装着してなるバックレストと、前記バックレストフレームの下方部から前方に延設された座部フレームにクッション部材を装着してなる座部と、前方脚部フレームと後方脚部フレームの上端部を枢支してなる脚部と、前記バックレストフレームから前方に延設され前記脚部の上端部を支持するアームレストフレームにクッション部材を設けてなるアームレストと、前記座部の下方に設けられ、収納・引き出しが手動で可能とされたオットマンを具備してなるオットマン付リクライニングチェアにおいて、前記オットマンは、内部にクッション用のバネ部材を有するオットマンフレームの該バネ部材上に、前方側が側面視でカマボコ形状に後方側が平坦に形成されたクッション部材を装着してなっていることを特徴とするオットマン付リクライニングチェアを提供することにより達成される。
【００１４】
また、本発明の上記目的は、前記クッション部材のカマボコ形状部は、当該オットマンが前記座部の下方に収納されたとき、前記座部フレームの座部クッション装着面と略一致する高さを有し、かつ、前記座部フレームの前方側に位置するように構成されていることを特徴とする、オットマン付リクライニングチェアを提供することにより、効果的に達成される。
【００１５】
また、本発明の上記目的は、前記オットマンフレームは、金属製のパイプにより前方が閉鎖され後方が開放された平面視でコの字状に形成され、該オットマンフレームの左右フレーム間には前記バネ部材が張設され、かつ、前記左右フレームがガイド部材により支持・案内されて前後方向に移動可能に設けられていることを特徴とする、オットマン付リクライニングチェアを提供することにより、効果的に達成される。
【００１６】
また、本発明の上記目的は、前記クッション部材のカマボコ形状部は、側面視でカマボコ形状に成形されたポリウレタンを可撓性シートで被覆してなっていることを特徴とする、オットマン付リクライニングチェアを提供することにより、効果的に達成される。
【００１７】
また、本発明の上記目的は、前記座部フレームは、前方側が前記前方脚部フレームに枢支され、後方側の一端が前記後方脚部フレームに連結された連結レバーの他端に枢支されており、前記バックレストフレームと前記座部フレームとを合わせることにより当該チェア本体が平坦に折り畳まれることを特徴とする、オットマン付リクライニングチェアを提供することにより、効果的に達成される。
【００１８】
また、本発明の上記目的は、前記バックレストフレームの傾倒角度の調整は、前記アームレストフレームの前端部を持ち上げ、前記脚部の上端部位置を前後方向に変更することにより行われることを特徴とする、オットマン付リクライニングチェアを提供することにより、効果的に達成される。
【発明の効果】
【００１９】
上述のとおり構成された本発明に係るオットマン付リクライニングチェアによれば、オットマンを座部の下方の収納位置（引き込み位置）から前方に手で引き出し、バックレストを傾倒させ、脚部を伸ばして座ると、脚部のかかと部と脹脛部の間の湾曲部がカマボコ形状をなすクッション部材によって支持されるので、かかと部や脹脛部に負担がかからず、長時間に亘り座っていても脚部が疲れたり痛くなったりすることがない。
【００２０】
また、オットマンを座部の下方に収納して座ると、大腿部の後ろ側がカマボコ形状をなすクッション部材によって支持されるので、体の重みが分散されて臀部や腰部の負荷が和らげられる。これにより長時間に亘りリラックスして座ることができる。
【００２１】
とくに、クッション部材のカマボコ形状部をポリウレタンにより成形し、この部分をバネ部材で支持してなるオットマンによれば、脚部、臀部、腰部等への負荷がさらに軽減されるので、一層リラックスして座ることができる。
【００２２】
また、リクライニングチェア本体を折り畳み可能に設けられたオットマン付リクライニングチェアによれば、移動や収納、保管が便利となり、さらにまた、アームレスト操作式のオットマン付リクライニングチェアによれば、バックレストの傾倒角度を簡単に調整することができる。
【図面の簡単な説明】
【００２３】
【図１】本発明の一実施形態に係るオットマン付リクライニングチェアの外観を示す斜視図である。
【図２】図１に示すオットマン付リクライニングチェアの骨格を示す斜視図で、（Ａ）はオットマンを座部の下から引き出した状態を、（Ｂ）は座部の下に収納した状態をそれぞれ示す。
【図３】図２（Ａ）の側面図である。
【図４】図２（Ａ）の背面図である。
【図５】図４に示すオットマン付リクライニングチェアのバックレストフレームにカバーを被覆した図である。
【図６】上記バックレストフレームに装着されるカバーの斜視図である。
【図７】バックレストフレーム及び座部フレームに装着されるクッション部材の斜視図である。
【図８】フロアプロテクターの外観を示す斜視図である。
【図９】アームレストの構造を示す図で、（Ａ）はその側断面図、（Ｂ）はその下面図である。
【図１０】オットマンの構造を示す分解斜視図である。
【図１１】図１０のＸ−Ｘ断面図である。
【図１２】図２（Ｂ）に示す状態のオットマン付リクライニングチェアを折り畳んで背面から見た斜視図である。
【発明を実施するための形態】
【００２４】
以下、本発明の内容を実施形態に基づき詳述する。なお、本実施形態に係るオットマン付リクライニングチェアは、バックレストの傾倒角度の調整をアームレストの操作で行うようにし、かつ、チェア本体を折畳み可能としたものであるが、本発明は必ずしもかかる実施形態に限定されるものではなく、特許請求の範囲を逸脱しない範囲において、その構成を種々に変更できることはいうまでもない。
【００２５】
図１は、本発明の一実施形態に係るオットマン付リクライニングチェア（以下、単に「本リクライニングチェア」という）の外観を示す斜視図である。
【００２６】
本リクライニングチェア１００は、バックレスト１１０、座部１２０、左右一対の脚部１３０、左右一対のアームレスト１４０、オットマン１５０によって構成されている。なお、この図１は、オットマン１５０を座部１２０の下方の収納位置から前方に引き出した場合を示している。図１において、１１４は、後述するようにバックレストクッション部１１４Ａと座部クッション部１１４Ｂとが屈曲部１１４Ｃを境に連接されてなるクッション部材である。
【００２７】
図２は、図１に示すクッション部材１１４を取り除いてリクライニングチェア１００の骨格を示した斜視図で、図２（Ａ）はオットマン１５０を座部１２０の下から引き出した状態を、図２（Ｂ）はオットマン１５０を座部１２０の下に収納した状態をそれぞれ示したものである。また、図３は図２（Ａ）の側面図、図４は図２（Ａ）の背面図である。
【００２８】
バックレスト１１０は、図３に明示するように、バックレストフレーム１１１にカバー１１３及びクッション部材１１４を装着してなっている。
【００２９】
バックレストフレーム１１１は、図４に明示するように、金属製のパイプを折り曲げて上方が閉鎖され下方が開放された背面視でコの字状に形成され、このバックレストフレーム１１１間の背当て部位置には波形形状のバネ部材１１２が張設されている。
【００３０】
このバックレストフレーム１１１の背当て部には、図６に斜視図で示すような袋状のカバー１１３が被覆される。図５は図４に示すバックレストフレーム１１１の背当て部にカバー１１３が被覆され状態を示したものである。
【００３１】
図示されるように、このカバー１１３によってバネ部材１１２が完全に隠蔽されて外側から見えなくなるので、このようなカバーを有しない従来のリクライニングチェアと較べチェア本体の見栄えがよくなり、高級感が得られる。また、このようにカバー１１３を背当て部に設けることにより、背当て部のクッション性が増し、さらにまた、クッション部材１１４をバックレストフレーム１１１に装着し易くなる利点がある。
【００３２】
なお、本実施形態では、上述のバックレストフレーム１１１を始め、後述するフレーム類の全てに断面形状が角形（８角形）をなす金属製のパイプを用いているが、本発明はこれに限定されるものでないことはいうまでもない。
【００３３】
カバー１１３は、布あるいは合成皮革等からなる可撓性シートを図６に示すようにバックレストフレーム１１１の形状に合わせて袋状に縫製してなり、下端側に設けられた開口部１１３Ａからバックレストフレーム１１１に装着される。カバー１１３の下端部の幅方向両側には固定紐１１３Ｂが取り付けられており、この固定紐１１３Ｂがクッション部材１１４の屈曲部１１４Ｃ付近に取り付けられた固定紐１１４Ｅに結び付けられてチェア本体に固定される。なお、固定紐１１３Ｂは後述する座部フレーム１２１に結びつけるようにしてもよい。
【００３４】
クッション部材１１４は、図７に示すように、ポリウレタン（このチップやスライス）あるいは綿等のクッション性を有する部材を布あるいは合成皮革等のシートで被覆してなる厚みが７〜１５ｃｍ程度のもので、ヘッド部が丸型とされ、略中央に位置する屈曲部１１４Ｃを境としてバックレストクッション部１１４Ａと座部クッション部１１４Ｂとが連接してなっている。バックレストクッション部１１４Ａの上部外面側は袋状に形成されており、その開口部１１４Ｄを介してこのクッション部材１１４が上述したカバー１１３の装着されたバックレストフレーム１１１に装着され、その後に固定紐１１３Ｂと固定紐１１４Ｅとが結び付けられる。なお、固定紐１１４Ｅは後述する座部フレーム１２１に結びつけるようにしてもよい。
【００３５】
また、本実施形態では上述のとおりバックレストクッション部１１４Ａと座部クッション部１１４Ｂとを屈曲部１１４Ｃを境に連接してクッション部材１１４を形成したが、バックレストクッションと座部クッションを別体に作り、それぞれをバックレストフレーム１１１及び後述する座部フレーム１２１に装着するようにしてもよい。
【００３６】
さらにまた、クッション部材１１４のヘッド部を丸型としたが、この形状は角型（例えば四角形）や山型など種々のものを採用することができる。
【００３７】
座部１２０は、図２及び図３に示すように、金属製のパイプを折り曲げ、前方が開放され後方が閉鎖された平面視でコの字状に形成された座部フレーム１２１により骨格が構成されており、その後方側両側部はピンＰ５を介してバックレストフレーム１１１に枢支され、前方側両側部がピンＰ３を介して後述する前方脚部フレーム１３１に枢支されている。
【００３８】
座部フレーム１２１の前方端に位置する前方座部フレーム１２２は、水平面に対し４５度程度の角度をもって下方に曲げられ、その裏面側に湾曲部１２２Ａが形成されている。この前方座部フレーム１２２間にはオットマン１５０を幅方向で支持しながら前後方向、すなわち図３に矢印Ｙ４で示す方向にスライドさせる金属製のロッド１２３が設けられている。このような構成により、後述するカマボコ形状部１６３を有するオットマン１５０を座部フレーム１２１の下方に収納する大きなスペースが確保される。
【００３９】
なお、このロッド１２３を設ける代わりに、前方座部フレーム１２２を幅方向に折り曲げて前方を一体化させ、座部フレーム１１１を平面視でロの字状に形成するようにしてもよい。
【００４０】
座部フレーム１２１間には、図２（Ａ）（Ｂ）に示すように、複数本（本実施形態では３本）のバネ部材１２４が張設されている。バネ部材１２４には、平面形状がＳ字状、あるいはＶ字状をなす波形バネ、さらには直線コイル状のバネが好ましく用いられる。
【００４１】
このバネ部材１２４は座部フレーム１２１の中央から後方に亘り設けられており、座部フレーム１２１の前方は開放されている。後述するように、この開放されたスペースにはオットマン１５０を座部１２０の下方に引き込んだときにクッション部材１６０のカマボコ形状部１６３が配置される。
【００４２】
このバネ部材１２４の上面に上述した座部クッション部１１４Ｂが装着される。図１は、このようにしてクッション部材１１４（バックレストクッション部１１４Ａと座部クッション部１１４Ｂ）が装着された状態を示している。
【００４３】
座部フレーム１２１の下方には、後述するようにオットマン１５０を支持しながら前後方向にガイドするスチール製のガイドレール１２５が設けられている。このガイドレール１２５は、図３に示すように、一端が座部フレーム１２１の後方内側に固定され、Ｕ字状に曲げられた後、自由端が前方に真っ直ぐ延びて設けられている。なお、オットマン１５０を支持しながら前後方向にガイドするガイド部材は、上述したガイドレール１２５に限定されるものではなく、例えばガイドローラあるいはガイド溝等の、種々の部材を採用することができる。
【００４４】
本実施形態では、座部１２０の床面高さが人間工学的な観点から、通常の椅子よりも低く座椅子よりも高い４０ｃｍ程度に設定され、長時間に亘りリラックスして座ることができるように工夫されている。後述するように、上述のとおり構成された座部１２０の下方にオットマン１５０が手動で収納、引き出し可能に設けられる。
【００４５】
脚部１３０は、図２に明示するように、金属製のパイプを折り曲げ、上方が開放され下方が閉鎖された正面視でコの字状に形成された前方脚部フレーム１３１と、同様に形成された後方脚部フレーム１３２とで構成されている。各フレームの開放側左右上方端部は図３に示すように交差され、この交差部が傾倒位置決め用のピンＰ１により枢支されている。図９に基づき後述するように、ピンＰ１の両端部は交差部から幅方向に突出して突出端部Ｐ１ｔが形成されている。この突出端部Ｐ１ｔはバックレスト１１０の傾倒角度を調整するために用いられる。
【００４６】
図３に示すように、前方脚部フレーム１３１は、交差部から斜め前下方に向かう途中でさらに前方に緩やかな曲線をもって曲げられている。前方脚部フレーム１３１をこのように形成することにより、本リクライニングチェア１００に座った人がアームレスト１４０を持って立ち上がるときに、チェア本体が前方に倒れることを防止することができる。
【００４７】
同様に、後方脚部フレーム１３２は、交差部から斜め後下方に向かう途中でさらに後方に緩やかな曲線をもって曲げられている。後方脚部フレーム１３２をこのように形成することにより、バックレスト１１０を後方に倒したときに座っている人の頭部分が後に倒れることを防止することができる。
【００４８】
図２（Ａ）に示すように、前方脚部フレーム１３１の床面ＦＬと接するフレーム部１３１Ｆ、及び、後方脚部フレーム１３２の床面ＦＬと接するフレーム部１３２Ｆには、樹脂材により一体成形されたクッション性を有するフロアプロテクター１３３が装着されている。
【００４９】
このフロアプロテクター１３３は、図８に斜視図で示すように、フレーム部１３１Ｆ及びフレーム部１３２Ｆの外形形状と一致する断面形状（本実施形態では８角形状）を有し、かつ各フレーム部の幅方向長さと略等しい長さをもって作られている。この上面の長さ方向にはフレーム部１３１Ｆ、１３２Ｆに嵌着するためのスリット１３３Ａが設けられており、また、外周面の長さ方向には滑り止め用の複数本の溝１３３Ｂが設けられている。
【００５０】
このように構成されたフロアプロテクター１３３をスリット１３３Ａを広げ、フレーム部１３１Ｆ及びフレーム部１３２Ｆに嵌着することにより、本リクライニングチェア１００全体の床面ＦＬに対する安定度が増し、これにより本リクライニングチェア１００の前方あるいは後方への転倒が防止され、また、床面ＦＬの損傷が防止される。
【００５１】
アームレスト１４０は、図９（Ａ）に側断面図で、（Ｂ）にその下面図で示すように、樹脂材により上面が側面視で船底型に形成され、内部が中空に一体成形されたアームレストフレーム１４１の上面に、ポリウレタン合成皮革、布、あるいは皮等で構成されたクッション部材１４３を、嵌着、ビス止め等の手段により着脱可能に設けてなっている。このようにクッション部材１４３を簡単に取り外すことができるようになっているので、クッション部材１４３の色等を簡単に変更することができる。また、このクッション部材１４３の色に合わせてクッション部材１１４及びオットマン１５０のカバー（後述する可撓性シート材１６２）の色を変えることにより、イメージの異なるリクライニングチェアに変更することができる。
【００５２】
このアームレストフレーム１４１の肘側はピンＰ２によりバックレストフレーム１１１に枢支されており、図３に示すように、指先側を持ち上げることによりアームレストフレーム１４１自体がピンＰ２を支点として矢印Ｙ１方向に回動するように構成されている。
【００５３】
なお、アームレスト１４０の素材は、樹脂製に限らず、このほか、金属製、木製単体、木製ベースにウレタンと合成皮革や皮、合成繊維や綿を巻いたもの等を用いることができる。
【００５４】
アームレストフレーム１４１の指先側における側部フレーム１４１Ｗの各内面には、側面視で鋸刃状をなす複数個の係止突起１４２Ｔが形成された係止部１４２が設けられている。本実施形態ではこの係止突起１４２Ｔが５個設けられ、傾倒角度が５段階に設定されているが、この係止突起１４２Ｔの設置数は必要に応じ適宜に増減することができる。
【００５５】
係止突起１４２Ｔ間には前述したピンＰ１の突出端部Ｐ１ｔが係止され、これによりバックレスト１１０の図３に矢印Y３で示す方向の位置、すなわち傾倒角度が決定される。このように突出端部Ｐ１ｔが前後方向に移動し、係止突起１４２Ｔ間に係止されるとき、係止突起１４２Ｔの先端部が鋸刃状に形成されているので、突出端部Ｐ１ｔの移動、係止が容易かつ確実に行うことができる。
【００５６】
なお、この係止部１４２の構成は、必ずしも上述した実施形態に限定されるものではなく、その形状、材質、設置場所等については、必要に応じ、種々に変更することができる。
【００５７】
アームレストフレーム１４１の内部では、ピンＰ１とピンＰ２との間に引張りコイルバネ１４４が設けられている。このように引張りコイルバネ１４４を設けることにより、バックレスト１１０をバネの引張り力に抗して緩やかに傾倒することができるので快適感が得られ、また、逆にバックレスト１１０を起立させる場合にはバネの復元力を利用して自動的に、ないし極めて弱い力で起立させることができるので、老齢者や病弱者でも安心して楽に取り扱うことができる。
【００５８】
なお、この引張りコイルバネ１４４には、本発明者の実験結果に基づき、引張り力が２ｋｇの荷重に対し１４〜１８ｃｍ伸びるもの、さらに好ましくは２ｋｇの荷重に対し１５〜１７ｃｍ伸びるものが適用されている。これは、引張り力がこの範囲を外れ、弱過ぎたり強過ぎたりすると、バックレスト１１０の傾倒・起立動作を緩やかに行うことができず、とくに強過ぎる場合にはバックレスト１１０が急激に起立するようになるため安全上好ましくないからである。
【００５９】
オットマン１５０は、図１０に分解斜視図で示すように、オットマンフレーム１５１とクッション部材１６０とで構成されている。
【００６０】
オットマンフレーム１５１は、金属製のパイプを折り曲げて前方が閉鎖され後方が開放する平面視でコの字状に形成され、このオットマンフレーム１５１間にはバネ部材１５２が張設されている。オットマンフレーム１５１の開放側間には金属製のロッド１５３が設けられ、このロッド１５３の幅方向外端部にはプーリー１５４が設けられている。なお、座部１２０の場合と同様に、バネ部材１５２には、平面形状がＳ字状、あるいはＶ字状をなす波形バネ、さらには直線コイル状のバネが好ましく用いられる。
【００６１】
図１０に示すように、オットマンフレーム１５１は後端から約９ｃｍ程度の後端部１５１Ｂが上方に向かって湾曲、傾斜して設けられており、この上方端部は８角形をなす金属製パイプの開口端部１５１Ａとなっている。後述するように、このように傾斜して設けられた後端部１５１Ｂは、オットマン１５０を座部１２０の下方から前方に引き出したときに、オットマン１５０のカマボコ形状部１６３を座部フレーム１２０の座部クッション装着面と同じ高さまで引き上げ、反対に座部１２０の下方に引き入れた場合にはカマボコ形状部１６３を引き下げる機能を有している。
【００６２】
開口端部１５１Ａには前述したガイドレール１２５が挿通され、このガイドレール１２５によりオットマンフレーム１５１が支持、案内されて、図３に矢印Ｙ４で示す前後方向に移動可能となっている。オットマンフレーム１５１の前方への移動は、プーリー１５４が前方座部フレーム１２１Ａの湾曲部１２２Ａに突き当たることにより制限される。また、図３に点線で示すように、プーリー１５４が前方座部フレーム１２１Ａの湾曲部１２２Ａに突き当たることにより、さらにまた、後端部１５１Ｂの上部への湾曲角度と相まって、前方に引き出されたオットマン１５０の先端部分の垂れ下がりが防止される。なお、このオットマンフレーム１５１の前方への最大移動距離は、座る人の脚の長さを考慮して設定される。
【００６３】
クッション部材１６０は、図１１に図１０のＸ−Ｘ断面図で示すように、内部のクッション素材１６１が可撓性シート材１６２で被覆されてなり、前方側には側面視でカマボコ形状をなすカマボコ形状部１６３が、後方側には平坦部１６４が形成されている。
【００６４】
ここに、カマボコ形状とは、中高で断面が半月形をなすもの、換言すれば、中高部の断面形状が上方に湾曲する全ての形状を意味する。
【００６５】
クッション素材１６１としては、クッション性や加工適性の面からポリウレタンであることが好ましいが、このほかコットン、合成繊維等を用いることができる。また、可撓性シート材１６２としては、皮革、合成皮革、布、合成繊維等を用いることができる。
【００６６】
図１０に示すように、カマボコ形状部１６３の下面にはバネ部材１５２に係止されるフラップ１６５が、また、平坦部１６４の下面にはロッド１５３を被包するようにして平坦部１６４の下面に固定されるフラップ１６６がそれぞれ取り付けられており、これらのフラップ１６５、１６６によってクッション部材１６０がオットマンフレーム１５１の上面に装着、固定される。
【００６７】
カマボコ形状部１６３の高さＨは、当該オットマン１５０が図２（Ｂ）に実線で（図３に２点鎖線で）示すように座部１２０の下方に引き込まれて収納されたときに、座部フレーム１２１のクッション装着面、すなわち座部クッション部１１４Ｂが装着される面と略一致する高さに設定されている。前述したように、座部フレーム１２１の前方スペースにはバネ部材１２４が設けられておらず、開放されているため、オットマン１５０が座部１２０の下方に収納されると、カマボコ形状部１６３はこの開放されたスペース、すなわち座部フレーム１２１の前方側の位置に配置される。
【００６８】
この座部フレーム１２１の前方側の位置は、本リクライニングチェア１００に座る人の大腿部の後ろ側を支持する位置に相当する。なお、このカマボコ形状部１６３の位置は、オットマン１５０の引き出し長さを座る人の脚の長さに合わせて変えることにより所望の位置とすることができる。
【００６９】
このように、本リクライニングチェア１００では、オットマン１５０を座部１２０の下方に引き込んで収納した状態のときに、座る人の大腿部の後ろ側をカマボコ形状のクッション部材１６０で支持するように構成されているので、座る人の臀部や腰部に負荷が集中せず、これにより長時間に亘りリラックスして座ることができる。
【００７０】
本リクライニングチェア１００は、図３に示すように、座部フレーム１２１の前方側がピンＰ３により前方フレーム１３１に枢支され、後方側がピンＰ４によって一端が後方フレーム１３２に連結された連結レバー１３４の他端にピンＰ５を介して枢支されている。このように、バックレスト１１０、オットマン１５０を含む座部１２０、脚部１３０、アームレスト１４０の夫々が、ピンＰ１ないしピンＰ５のいずれかを介し、相互に枢動可能に枢支されているので、バックレスト１１０と座部１２０とを図３に矢印Ｙ５で示すように相対的に動かして合わせると、図１２に斜視図で示すようにリクライニングチェア１００全体を平坦に折り畳むことができる。このため、持ち運びや設置等の取り扱いが容易となり、また、不使用時の収納保管に際しスペースを取らないという利点がある。
【符号の説明】
【００７１】
１００            （本発明の一実施形態に係る）オットマン付リクライニングチェア
１１０              バックレスト
１１１              バックレストフレーム
１１２              バネ部材
１１３              カバー
１１３Ａ            開口部
１１３Ｂ            固定紐
１１４              クッション部材
１１４Ａ            バックレストクッション部
１１４Ｂ            座部クッション部
１１４Ｃ            屈曲部
１１４Ｄ            開口部
１１４Ｅ            固定紐
１２０              座部
１２１              座部フレーム
１２２              前方座部フレーム
１２２Ａ            湾曲部
１２３              ロッド
１２４              バネ部材
１２５              ガイドレール
１３０              脚部
１３１              前方脚部フレーム
１３１Ｆ            フレーム部
１３２              後方脚部フレーム
１３２Ｆ            フレーム部
１３３              フロアプロテクター
１３３Ａ            スリット
１３３Ｂ            溝
１３４              連結レバー
１４０              アームレスト
１４１              アームレストフレーム
１４２              係止部
１４３              クッション部材
１４４              引張りコイルバネ
１５０              オットマン
１５１              オットマンフレーム
１５１Ａ            開口端部
１５２              バネ部材
１５３              ロッド
１５４              プーリー
１６０              クッション部材
１６１              クッション素材
１６２              可撓性シート材
１６３              カマボコ形状部
１６４              平坦部
１６５              フラップ
１６６              フラップ
ＦＬ                床面
Ｐ１〜Ｐ５          ピン
【図４】
2014046160.tif 000003
【図５】
2014046160.tif 000004
【図６】
2014046160.tif 000005
【図７】
2014046160.tif 000006
【図８】
2014046160.tif 000007
【図１０】
2014046160.tif 000008
【図１２】
2014046160.tif 000009
【図１】
2014046160.tif 000010
【図２】
2014046160.tif 000011
【図３】
2014046160.tif 000012
【図９】
2014046160.tif 000013
【図１１】
2014046160.tif 000014